(57)【要約】【課題】人間が手の平でゴルフボールを転がす感触に近い感触でゴルフボールを打つことができる、打球のコントロール性に優れたゴルフパターを提供する。【解決手段】パターヘッド１０、シャフト２０及びグリップ３０を備えており、パターヘッド１０とシャフト２０とは、ホーゼル４０を介して接続されている。パターヘッド１０は、ステンレス、アルミニウム、鉄、チタン、真鍮等の金属材料によって形成されたヘッド本体１１と、このヘッド本体１１の外表面に接着剤を用いて貼着された表面部材１２とから構成されており、表面部材１２によって打球面が形成されている。表面部材１２は、牛革、豚革、馬革、羊革、山羊革、鹿革、ワニ革、蛇革、トカゲ革等の天然皮革に硬化剤等を繰り返し塗布することによって形成されており、その厚さは、２ｍｍ〜８ｍｍ、好ましくは４ｍｍ〜６ｍｍに設定されている。【選択図】        図２
2015023936.tif 000002
【特許請求の範囲】
【請求項１】
パターヘッドが、ヘッド本体と、そのヘッド本体における少なくとも打球面に対応する部分に貼着されることによって打球面を形成する表面部材とを備え、
前記表面部材を天然皮革によって形成したことを特徴とするゴルフパター。
【発明の詳細な説明】
【技術分野】
【０００１】
この発明は、打球のコントロール性に優れたゴルフパターに関する。
【背景技術】
【０００２】
ゴルフパターは、通常、そのパターヘッドがステンレス、アルミニウム、鉄、チタン、真鍮等の金属材料によって形成されているが、パターヘッドの打球面が剛性の高い金属材料によって形成されていると、ゴルフボールの反発力が大きくなって、打球をコントロールすることが難しくなるため、打球のコントロール性を改善するために、金属材料によって形成されたヘッド本体の打球面に対応する部分にエラストマーや合成樹脂といった非金属材料からなる柔軟性シートを貼着したゴルフパターが提案されている。
【先行技術文献】
【特許文献】
【０００３】
【特許文献１】特開２００１−２２４７１６号公報
【発明の概要】
【発明が解決しようとする課題】
【０００４】
しかしながら、エラストマーや合成樹脂等からなる柔軟性シートは打球面を形成する素材として十分な物性を有しているとはいえず、こういった柔軟性シートをヘッド本体の打球面に対応する部分に貼着したゴルフパターでは、打球のコントロール性が不十分であるといった問題がある。
【０００５】
特に、打球のコントロール性という観点からは、人間が手の平でゴルフボールを転がす感触でゴルフボールを打つことが最も好ましいと言われており、そういった感触でゴルフボールを打つことができるようにすることが望まれている。
【０００６】
そこで、この発明の課題は、人間が手の平でゴルフボールを転がす感触に近い感触でゴルフボールを打つことができる、打球のコントロール性に優れたゴルフパターを提供することにある。
【課題を解決するための手段】
【０００７】
上記の課題を解決するため、請求項１に係る発明は、パターヘッドが、ヘッド本体と、そのヘッド本体における少なくとも打球面に対応する部分に貼着されることによって打球面を形成する表面部材とを備え、前記表面部材を天然皮革によって形成したことを特徴とするゴルフパターを提供するものである。
【発明の効果】
【０００８】
以上のように、請求項１に係る発明のゴルフパターは、パターヘッドの打球面が天然皮革によって形成されているので、人間が手の平でゴルフボールを転がす感触に近い感触でゴルフボールをソフトに打つことができ、エラストマーや合成樹脂等からなる柔軟性シートをヘッド本体に貼着することによって打球面を形成した従来のパターヘッドに比べて、打球のコントロール性が向上する。
【図面の簡単な説明】
【０００９】
【図１】（ａ）はこの発明に係るゴルフパターの一実施形態を示す正面図、（ｂ）は同上のゴルフパターを示す左側面図である。
【図２】（ａ）は図１（ｂ）のＸ−Ｘ線に沿った断面図、（ｂ）は図１（ａ）のＹ−Ｙ線に沿った断面図である。
【図３】（ａ）は他の実施形態であるゴルフパターのパターヘッドを示す拡大正面図、（ｂ）は（ａ）のＸ−Ｘ線に沿った断面図である。
【発明を実施するための形態】
【００１０】
以下、実施の形態について図面を参照して説明する。図１（ａ）、（ｂ）に示すように、このゴルフパター１は、打球面ＰＦを有するパターヘッド１０、シャフト２０及びグリップ３０を備えており、パターヘッド１０とシャフト２０とは、ホーゼル４０を介して接続されている。なお、シャフト２０はスチール、カーボン・グラファイト樹脂等によって、グリップ３０はゴム、エラストマー等によって、ホーゼル４０は金属材料等によって形成されているが、これらの素材に限定されるものではない。
【００１１】
前記パターヘッド１０は、図２（ａ）、（ｂ）に示すように、ステンレス、アルミニウム、鉄、チタン、真鍮等の金属材料によって形成されたヘッド本体１１と、このヘッド本体１１の外表面に接着剤を用いて貼着された表面部材１２とから構成されており、表面部材１２によって打球面ＰＦが形成されている。
【００１２】
前記ヘッド本体１１の形成材料は、上述した金属材料に限定されるものではなく、木材、石材、合成樹脂材等を使用することも可能であり、そのタイプも、ブレードタイプ、ピンタイプ、マレットタイプ、ネオマレットタイプ等、種々のタイプを採用することができる。
【００１３】
前記表面部材１２は、牛革、豚革、馬革、羊革、山羊革、鹿革、ワニ革、蛇革、トカゲ革等の天然皮革に硬化剤等を繰り返し塗布することによって形成されており、その厚さは、２ｍｍ〜８ｍｍ、好ましくは４ｍｍ〜６ｍｍである。
【００１４】
以上のように構成されたゴルフパター１は、パターヘッド１０の打球面ＰＦが天然皮革によって形成されているので、人間が手の平でゴルフボールを転がす感触に近い感触でゴルフボールをソフトに打つことができ、エラストマーや合成樹脂等からなる柔軟性シートをヘッド本体に貼着することによって打球面を形成した従来のパターヘッドに比べて、打球のコントロール性が向上する。
【００１５】
なお、上述した実施形態では、ヘッド本体１１の外表面を表面部材１２によって完全に被覆しているが、これに限定されるものではなく、例えば、図３（ａ）、（ｂ）に示すパターヘッド１０Ａのように、ヘッド本体１１Ａにおける打球面に対応する部分に凹部１１Ａａを形成し、この凹部１１Ａａに表面部材１２を嵌着するようにしてもよい。
【００１６】
また、上述した実施形態では、接着剤を用いて表面部材１２をヘッド本体１１、１１Ａに貼着しているが、これに限定されるものではなく、リベット等の金具を用いて表面部材１２をヘッド本体１１、１１Ａに保持するようにしてもよい。
【００１７】
また、上述した実施形態では、単一材料によってヘッド本体１１を形成しているが、これに限定されるものではなく、重量調整を行うための鉛板等を併用してもよい。
【００１８】
また、上述した各実施形態では、ホーゼル４０を介して、パターヘッド１０とシャフト２０とが接続されているが、これに限定されるものではなく、ホーゼルを省略して、シャフトを直接パターヘッドに接続することも可能である。
【００１９】
さらに、ヘッド本体１１を、所定厚みの正面部分と、その正面部分が着脱可能に装着されるベース部分とに分割し、異なる天然皮革によって形成された表面部材１２が貼着された正面部分に交換することができるようにしてもよい。
【産業上の利用可能性】
【００２０】
本発明は、ゴルフパターに利用することができる。
【符号の説明】
【００２１】
１  ゴルフパター
１０、１０Ａ  パターヘッド
１１、１１Ａ  ヘッド本体
１１Ａａ  凹部
１２  表面部材
２０  シャフト
３０  グリップ
４０  ホーゼル
ＰＦ  打球面
【図１】
2015023936.tif 000003
【図２】
2015023936.tif 000004
【図３】
2015023936.tif 000005